(57)【特許請求の範囲】
【請求項１】
扉を開くことによって立ち上がる起立片を有する折丁において、
両端部がそれぞれ折丁台紙の両扉に貼着され、前記折丁台紙の折り目線と平行に折り目線が形成された案内板と、
前記折丁台紙の両扉に、前記案内板の前記両端部よりも内側に、脚部が折丁台紙の折り目線と平行に折れるように貼着され、前記折丁台紙の折り目線に平行に延在する起立片とを備え、
前記案内板のうちその折り目線の両側には、前記折丁台紙の折り目線と平行に、スリット状の導孔が形成されており、
前記折丁台紙の両扉に設けられた起立片同士が、その脚部に設けられた切り込み部により、前記折丁台紙と前記案内板によって画される空間内において、組み込まれて交差しており、
前記起立片は、前記案内板のうちその折り目線より貼着された前記折丁台紙における扉とは反対側に形成された前記導孔に通されており、
前記折丁台紙の開きに伴い前記起立片が前記案内板の前記導孔に導かれて立ち上がることを特徴とする折丁。
【請求項２】
前記折丁台紙の両扉に設けられた前記起立片同士は、一体の紙片により形成されており、前記折丁台紙の折り目線近傍に貼着された領域を有するとともに、起立するための折り目線が形成されており、前記切り込み部は、前記折り目線方向に沿って互いに逆向きに形成されていることを特徴とする請求項１に記載の折丁。
【請求項３】
案内板を展開した形状が円形であって、折丁台紙が閉じた際に半円形状に折られた状態で折丁台紙の両扉に貼着されていることを特徴とする請求項１または２に記載の折丁。
【発明の詳細な説明】
【０００１】
【発明の属する技術分野】
この発明は、折丁に関する。詳しくは折丁の内部に起立案内板と複数の起立片を有し、折丁を開くことにより複数の起立片が折丁の台紙に対して異なる角度で起立することを特徴とする折丁に関する。
このような折丁は、ポップアップ（ＰＯＰ−ＵＰ）としてあるいは絵本、パンフレット、雑誌等への綴じ込みによる広告媒体として使用することができる。
【０００２】
【従来技術】
本や折丁を開くと折り畳まれた紙葉が立ち上がり立体的形状を呈する立体絵本等は従来から知られている。しかし、従来のものはいずれも折り畳まれた紙葉が折丁の台紙に対して一方向に起立するものであって異なる起立状態を表現するものは見られない。そのため変化の状態が定常的であって興味が少ないものになりつつある。
【０００３】
【発明が解決しようとする課題】
そこで、本発明では、単に立体的形状を呈するのみではなく折丁を開くことにより立ち上がる起立片が、折丁の両扉から立ち上がり複雑な立体形状を現すことができる折丁を研究してなされたものである。
【０００４】
【課題を解決するための手段】
上記課題を解決するための本発明の要旨は、扉を開くことによって立ち上がる起立片を有する折丁において、両端部がそれぞれ折丁台紙の両扉に貼着され、前記折丁台紙の折り目線と平行に折り目線が形成された案内板と、前記折丁台紙の両扉に、前記案内板の前記両端部よりも内側に、脚部が折丁台紙の折り目線と平行に折れるように貼着され、前記折丁台紙の折り目線に平行に延在する起立片とを備え、前記案内板のうちその折り目線の両側には、前記折丁台紙の折り目線と平行に、スリット状の導孔が形成されており、前記折丁台紙の両扉に設けられた起立片同士が、その脚部に設けられた切り込み部により、前記折丁台紙と前記案内板によって画される空間内において、組み込まれて交差しており、前記起立片は、前記案内板のうちその折り目線より貼着された前記折丁台紙における扉とは反対側に形成された前記導孔に通されており、前記折丁台紙の開きに伴い前記起立片が前記案内板の前記導孔に導かれて立ち上がることを特徴とする折丁、にある。かかる折丁であるため効果的な表示をすることができる。また、起立片を正しく立ち上げることができるとともに、構造的強度を持たせることができる。
【０００６】
上記において、前記折丁台紙の両扉に設けられた前記起立片同士は、一体の紙片により形成されており、前記折丁台紙の折り目線近傍に貼着された領域を有するとともに、起立するための折り目線が形成されており、前記切り込み部は、前記折り目線方向に沿って互いに逆向きに形成されているようにすれば、加工工程で起立片が散逸したりすることを防いで取り扱いを容易にすることができる。また、案内板を展開した形状が円形であって、折丁台紙が閉じた際に半円形状に折られた状態で折丁台紙の両扉に貼着されているようにすれば、折丁の両扉の絵柄等を側面から良好に観察できる。
【０００７】
【発明の実施の形態】
本発明の折丁は、扉を開くことにより内部の起立片が立ち上がる折丁であって、折り目線を有する折丁台紙と、折丁台紙の左右扉にその脚部が貼着されている複数の起立片と、起立片を支持して導く案内板とから構成されている。
図１は、本発明の折丁を開いた状態を示している。台紙２０を１００度〜１２０度程度の角度で開いた状態であって、図示のものでは、折丁１を宣伝媒体として使用するため、口紅等の図柄が６本の起立片１０１〜１０６にそれぞれ印刷されている。案内板３０は、起立片を支えて導く役割をし、半円形に折り畳んだ形状にされている。案内板に設けたスリット状の導孔３０１〜３０６は起立片を支持して揺動を防いでいる。
【０００８】
図２は、折丁を開いて側面から見た状態を示す。図示のように各起立片１０１〜１０６は、連結した部材として厚紙等の紙葉に打ち抜いて形成されている。
このように連結した部材とすることは必須ではないが、加工工程で起立片が散逸したりすることを防いで取扱いを容易にすることができる。また、完成後も起立片の脱落を防止できる。図示の例では１本置きの起立片が交互に左右の折丁台紙２０に貼着されて他方側に立ち上がるように形成されている。
従って、折丁の側面から見た場合には起立片同士が「Ｘ」字状に交差する角度で立ち上がることになる。このように立ち上げることも必須ではないが、「Ｘ」字状にすることで起立片同士が絡み合う構造とすることができ、ある程度の構造的強度を持たせられる。また、適度な角度に折丁が開くようにストッパー的はたらきをすることができる。立ち上がる角度も中央の２本１０３，１０４は低い角度で立ち上がり、両端の４本１０１，１０２，１０５，１０６はそれよりは高い角度で立ち上がるように案内板３０の導孔が形成されている。
また、図示例では各起立片が折丁のほぼ中心から放射状に外側に向かって立ち上がるようにされている。このようにすることで商品等が飛び出してくるイメージを与え表示効果を高めることができる。起立片の印刷は、表裏の見当を合わせて両面に施しても良いが、折丁を上面から見ることだけを条件とする場合は、裏面は目に見え難いので、片側だけの印刷であっても良い。
【０００９】
案内板３０は、起立片を通過させるような狭幅のスリット状の導孔３０１〜３０６を有するが、起立片が中心から放射状に起立するようにする場合、扉の開きに伴って導孔を通る位置が変わるので導孔３０１の幅は起立片の幅よりは多少広幅にしておく必要がある。
案内板３０は、図示の例では円形に打ち抜いた板紙を半円形状に折って、その両端部を貼着片として折丁台紙の両扉中間位置に台紙の折り目線２１に平行に貼着されている。案内板３０を円形にすることもこれに限られないが、四角形の場合に比べて台紙に印刷した図柄を観察する場合に視界を妨げないようにすることができる。
【００１０】
図３は、本発明の折丁を厚紙等の紙葉に打ち抜く場合の展開図を示している。右側の円形部材が案内板３０であり、左側が起立片の連結した部材１０である。案内板は台紙２０の折り目線に平行する狭幅のスリット状導孔３０１〜３０６を有しており、当該導孔に起立片を通して支持する。また、案内板は中央部分の折り目線３１で山折りに折られ、両端部分の折り目線３２，３３で谷折りに折られて台紙に貼着される。
起立片部材１０は前記のように連結した形状で紙葉から打ち抜かれる。図示の例では６本の起立片を設けているが、２本以上の任意の数を設けることができる。起立片の中央部分にあるスリット１１は、台紙の折り目線２１に合わせるためのものである。この部分は台紙２０の折り曲げや開閉を円滑にするため、折り目線に重なる紙材料は除去しておくのが好ましいからである。
【００１１】
図４は、起立片の脚部を拡大した図である。図示のように起立片の貼着部に近い部分、すなわち脚部には鋭角の切り込み部１０１ｃ〜１０６ｃが設けられている。起立片を台紙に貼着した後、対向する起立片、例えば１０１と１０２の切り込み部１０１ｃと１０２ｃとを組み込みしてから案内板の導孔にとおして組み立てを行う。切り込み部の先端は一定幅ｌのスリットに形成されている。
【００１２】
図５は、折丁の起立片貼着部を拡大した断面図である。図４も参照して分かるように、部材１０の中央部スリット１１の中心から折り目線１２までの距離Ｌ1 と折り目線１２と切り込み部のスリット上端までの距離Ｌ2 は、折丁が自然に開く角度を左右することになるので適宜に定める必要がある。
すなわち、折丁を大きく開く場合は、切り込みの先端側（スリット１１から遠い側）同士でぶつかり合うので、それ以上の開きを停止させるはたらきをする。従って、折丁が自重で開く場合はＬ1 とＬ2 で定まる角度βで停止することになる。
切り込み部分１０１ｃ〜１０６ｃは、起立片の組み込みを手作業等で円滑に行うためには角度αを、ある程度の大きさに設けておくのが好ましい。
【００１３】
上述のような折丁の製造は、台紙、起立片、案内板に適宜な印刷を施した後、起立片、案内板を図３のように紙葉から、抜き刃で打ち抜きを行う。案内板の導孔や起立片のスリット１１の形成も同時の工程で行う。その後、起立片、案内板に必要な折り目線を入れて、起立片を台紙の折り目線２１に合わせて貼着する。次に、対向する起立片を組み合わせた後、案内板の導孔に起立片を差し込み、案内板３０の両端を台紙に貼着する。台紙には予め案内板を貼着する位置を示す印刷を設けておくことが好ましい。
このような折丁は、打ち抜き等の工程まではインラインの加工ができるが、起立片の組み立て等の工程は手加工により行うのが便宜である。
【００１４】
反転表示部を有する紙葉には、立ち上がりのしっかりした専用紙の使用が好ましい。通常、カード紙、コートカード紙を使用するが、パルプ配合や表面加工を選択することにより、折り、割れ、引っ張り等の強度および印刷適性の優れたＰ０Ｐ−ＵＰ専用紙として特に好ましく使用することができる。
実用的な用紙は、例えば、四六判／９０ｋｇ（１０４．７ｇ／ｍ2 ）〜１８０ｋｇ（２０９．４ｇ／ｍ2 ）の範囲となるが、これ以下または以上の斤量の紙を使用する場合もある。
【００１５】
【実施例】
（実施例）
以下、本発明の実施例を図１〜図５を参照して説明する。
折り、割れ、引っ張り等の強度および印刷適性の優れたＰ０Ｐ−ＵＰ専用紙として四六判／９０ｋｇから四六判／１８０ｋｇのもの（東京製紙株式会社）を使用し、オフセット印刷により台紙および起立片、案内板用の用紙に所定の印刷を行った。起立片、案内板を印刷した用紙を図３のように打ち抜きを行った。
案内板は直径２２．７ｍｍの円形となるようにし、各起立片は中央のスリット１１から１７〜１８ｃｍの高さに立ち上がるようにした。案内板３０の導孔は幅３ｍｍ×長さ６ｃｍとなるようにした。
また、起立片の切り込み部角度αは４５度程度となるようにし、切り込み部のスリット幅ｌは３ｍｍとした。また、スリット１１の中心線と折り目線１２までの距離Ｌ1 は１６ｍｍとし、スリットの上側の部分と起立片の折り目線までの距離Ｌ2 は２２ｍｍとなるようにした。
【００１６】
このようにして打ち抜いた起立片部材１０を台紙の折り目線２１に沿って貼着してから対向する起立片を組み立て、各片を案内板の導孔に通して、案内板３０を台紙に貼着した。
完成した折丁は化粧品を印刷した起立片が折丁の中心部から放射状に起立し、立体感に富み広告媒体として好適に使用することができるものであった。
また、折丁は自重で開く位置に停止させたところ１１０度程度の角度で開き、表示内容を観察するためには適当な角度であることが確認された。
【００１７】
【発明の効果】
本発明の折丁は、従来の起立する立体絵本等と異なり、扉の両側から立ち上がる起立片を有しているので、従来品にない立体感があり扉を開くと立体物が飛び出してくるような感覚を生じる。
従って、広告宣伝媒体や動きのあるＰＯＰ−ＵＰとして好適に使用することができる。
【図面の簡単な説明】
【図１】  本発明の折丁を開いた状態を示している。
【図２】  折丁を開いて側面から見た状態を示す。
【図３】  本発明の折丁を厚紙等に打ち抜く場合の展開図を示している。
【図４】  起立片の脚部を拡大した図である。
【図５】  折丁の起立片貼着部を拡大した断面図である。
【符号の説明】
１    折丁
１０    起立片部材
１１    起立片スリット
１２，１３    起立片の折り目線
２０    台紙
２１    台紙の折り目線
３０    案内板
３１，３２，３３    案内板折り目線
１０１，１０２，１０３，１０４，１０５，１０６    起立片
１０１ｃ〜１０６ｃ    起立片の切り込み部
３０１，３０２，３０３，３０４，３０５，３０６    スリット状の導孔
【図１】
0004437573.tif 000002
【図２】
0004437573.tif 000003
【図３】
0004437573.tif 000004
【図４】
0004437573.tif 000005
【図５】
0004437573.tif 000006